(57)【特許請求の範囲】
【請求項１】
フレーム２に、集球したボールを保持するための保持部３と柄８とを装着して成る集球具１において、該フレーム２で囲まれた開口部分の同一平面上に集球部５と、該集球部５とは異なる排球部６と、該集球部５と排球部６との間に位置する境界部４とを備え、該集球部５には線状物７をボール１２の直径より狭い間隔で張り、該保持部３は柔軟性を有するネット状や布状などのものであり、さらに該集球部５で集球したボール１２の排球部６への移動をコントロールするための吸着特性を有するマグネット１４とスチール１５の一対物を備え、該一対物の一方は該保持部３に装着し、該一対物の他方は該境界部４に装着或いは該境界部を形成させ、且つ、該一対物の一方と該一対物の他方とは互いに吸着可能な部位に位置させて、該マグネット１４と該スチール１５とを付着させて該保持部３を縮ませることで、該境界部４と該保持部３との間の距離がボールの直径よりも小さくなって該集球部５から該排球部６へのボール１２の移動を防止する事が可能であり、該マグネット１４と該スチール１５との付着を引き離すことで、該境界部４と該保持部３との間の距離がボール１２の直径よりも大きくなって該集球部５から該排球部６へのボール１２の移動を可能とする事を特徴とした卓球用集球具。
【発明の詳細な説明】
【技術分野】
【０００１】  本発明は、多数のボールを使い行う卓球練習時のボール集め具、特にその集球面に線状物を張って成る集球具の集球したボールを排出する方法の改善に関するものである。
【背景技術】
【０００２】  卓球練習時に、床面に散乱した多数のボールを集める方法としては、現在は図７に示す様な虫取り網等を利用したすくい取り式の方法が多用されている。更に、特許文献１〜４の様な方法も提案されている。これらは、すくい取るのではなく、図７のすくい取り式集球具のフレーム２で囲まれた開口部に、線状物７をボールの直径より狭い間隔で張り、その線状物７を張った面をボールの上から被せ押さえ、線状物７の間を通ったボールを集める方法である。【０００３】  この方法の場合、集めたボールを使用する時や別の容器に移し替える時には、その集球し保持している保持部から取出す必要がある。特許文献１〜４においては、それぞれ工夫がされている。本発明は、そのボールの取出し方法、即ち排球時のボール放出部の開閉方法、特に特許文献４に示されているフレーム２で囲まれた開口部分の同一平面上に集球部と排球部とを設けたものの開閉方法の改善に関するものである。
【先行技術文献】
【特許文献】
【０００４】
【特許文献１】実開昭６３−０４３５６５。
【特許文献２】登録実用新案第３００１２７７。
【特許文献３】特許登録第３６６０５８５。
【特許文献４】特開２００９−１８９７６８
【発明の概要】
【発明が解決しようとする課題】
【０００５】  本発明が改善対象としている集球具は、フレームで囲まれた開口部分の同一平面上に集球部と排球部とが設けてあり、うまく機能すれば使い易いものである。しかし、これは同一フレーム内の開口部分の同一平面上に集球部と排球部とが設けてあるので、集球部でボールを集球中等に排球部の方へ移動しこぼれ出てしまうという事がある。そのため、その防止方法として、特許文献４では排球部の大きさ（広さ）をボールの大円の１．５倍以上とするとか落下防止具を使用する等の工夫がなされている。【０００６】  しかし、集球と排球とを実用的なスムーズさで確実に行う為には、更なる改良が必要と考えられる。例えば、集めたボールをスムーズに迅速に排出する為には、排球部の大きさ（広さ）はそれなりに確保しておく方が望ましい。しかし、ただ大きくしただけでは、折角集めたボールが排球部の方へ移動し落下してしまう。したがって、落下防止具などの落下を防止する手段が必要となってくる。【０００７】  特許文献４では、落下防止具として筒状物やシート状物あるいは板状や塊状物などが提案されている。これらの方法を使えば、確かにボールの排球部からの不測のこぼれ落ち防止には有効である。ただ、筒状物やシート状物は開閉操作がやり難い時があり、板状物などの方は集球中や持運び中にずれたりなどしてボールがこぼれ出る時があり改善が望まれている。従って、本発明は、この排球時の問題の解決を目的としたものである。
【課題を解決するための手段】
【０００８】  本発明は、上記課題を次の方法により解決した。即ち、フレーム２で囲まれた開口部分分の同一平面上に集球部５と排球部６を、その集球部５と排球部６との間に境界部４を、さらにその上面部分に保持部３を設けた卓球の集球具において、集球部５で集球したボール１２の排球部６への移動をコントロールする為に、吸着特性を有するマグネット１４とスチール１５の一対物を使用し、その一対物の一方は保持部３に装着し、一対物の他方は境界部４へ装着或いは境界部４を形成させ、且つその一対物の一方と他方とは互いに吸着可能な部位に位置させて、そのマグネット１４のスチール１５への吸着特性を利用した付着とその引き離しにより保持部３と境界部４との間の距離（ボール１２の移動用のスペース）をボール１２の直径より小さくしたり大きくしたりとコントロールする方法により解決した。
【発明の効果】
【０００９】  集球したボールは集球部と保持部との間にいったん保持され、その後集球部と排球部との間の境界部の上を通り移動排出されるので、その境界部上の保持部を広げたり狭めたりしてそこのスペースの開閉を自在にコントロールする方法により、上記課題を解決し、次の様な効果が得られた。【００１０】  （イ）従来は排出部の広さを狭くするとか、落下防止具等を使用する等が必要だったが、集球部から排球部へのボール移動が境界部の所でコントロール出来る様になったので、ボールの不測のこぼれ落ち等がなくなり、排球部の広さを十分大きく設ける事が出来るようになり、ボールの排球が大変スムーズ迅速に行える様になった。落下防止具等も不要となった。
（ロ）マグネットの吸着特性を利用しているので、排球の為の境界部上のスペースの開閉は、集球時と同じ様な姿勢で保持部等を手で上方へ引張ったり離したりのワンタッチ的操作で行えて、大変操作し易い使い勝手の良いものである。
（ハ）境界部上のスペースの開閉をコントロール出来る様にしたので、ボールが集球部から排球部へ勝手に移動出来なくなり、集球中や持運び中、保管中等でもボールが転がり落ちたりする心配がなく、安心して使用出来る様になった。
（二）集球したボールを集球具から容器等に移したい時は、排球部分を容器等の開口部分の上に持っていき、境界部分の上方の保持部等を手で上方へ引っ張れば、ボールは集球部から排球部の方へ移動し排出され容器等へ落下収容される。手を離せば境界部上のスペースは閉じ、再び集球や持運び等が出来る。排出途中で手を離しボールが保持部に残った状態でも集球や持運び等に支障はなく、大変使い易いものである。
【図面の簡単な説明】
【００１１】
【図１】フレーム内の開口部を集球部と排球部に仕切った原形集球具。
【図２】本発明のマグネット等を装着の集球具の正面図。
【図３】同上集球具の平面図。
【図４】同上集球具のＹ−Ｙ’視野断面図。
【図５】同上集球具でボールを集球中の図（正面図）。
【図６】同上集球具で集球したボールを排出中の図（正面図）。
【図７】市販のすくい取りタイプの集球具。
【発明を実施するための形態】
【００１２】  本タイプの集球具１、即ち、フレーム２で囲まれた開口部分の同一平面上に集球部５と排球部６とを、その集球部５と排球部６との間に境界部４を、さらにその上面部分に保持部３を設けた集球具１では、集球部５で集球したボール１２は集球部５と保持部３との間に一度保持され、排球時には集球部５と排球部６との間の境界部４の上部を必ず通り移動して排球部６から排出される。したがって、その移動用のスペース、即ち、保持部３と境界部４との間の距離（ボール１２が移動するためのスペース）を大きくしたり小さくしたり（広げたり狭めたり）と開閉すれば排球のコントロールが可能である。
【００１３】  そこで、そのコントロール方法につき種々検討の結果、保持部３として柔軟性のあるネット状物や布状物などを使用し、その柔軟性を利用し、吸着特性のあるマグネットで保持部３と境界部４との間の距離を広げたり狭めたりする事により解決するに至った。
【００１４】  即ち、マグネット１４はスチール１５に吸着する特性があるので、そのスチール１５を吸着受部として用い、必ず両者は一対として使用し、保持部３と境界部４との間の距離（スペース）を小さくしたい時（狭めたい時）は両者を吸着させ、そこを大きくしたい時（広げたい時）は両者を引き離す方法により解決に至った。マグネット１４とスチール１５とは両者を一対物として使用するので、一対物のどちらか一方は保持部３の方に装着し、残りの他方は境界部４に装着させるか或いはその他方で境界部４を形成させる。その際、両者は吸着し付着可能な部位に対応して位置させる。
【００１５】  例えば、マグネット１４を保持部３の方に装着すれば、スチール１５は境界部４の方へ、両者が吸着し付着可能な部位に対応して位置させる。この様にしてマグネット１４のスチール１５への吸着特性を利用し両者を付着させたり引き離したりすれば、保持部３の柔軟性と相まって、保持部３と境界部４との間の距離をコントロールする事が出来る。
【００１６】  その際、保持部３のサイズなどに関しては、マグネット１４とスチール１５とが吸着した状態の時には、保持部３と境界部４との間の距離がボール１２の直径よりも小さくなる様に、両者を引き離した時は、保持部３と境界部４との間がボール１２の直径よりも大きくなる様に形成すると共に、ボール１２が保持部３に適量集球保持出来る大きさにしておく。
以下、実施例にて本発明について更に説明する。
【実施例１】
【００１７】  本実施例は、マグネット１４を保持部３に、スチール１５を境界部４に装着した実施例である。図２から図６にその実施例図を示す。図２はその正面図を、図３は平面図を、図４は図３に示すＹ−Ｙ’視野での断面図を示す。図５と図６にはその使用状態図（正面図）を示す。【００１８】  マグネット１４とスチール１５とを装着する前の集球具としては、図１に示す集球具、即ち、フレーム２で囲まれた開口部分を境界部４にて集球部５と排球部６とに分け、且つ排球部６の開口部の大きさ（広さ）をボール１２がスムーズに通れるものとした集球具（以後「原型集球具」と呼ぶ）を使用した。図１には、その原型集球具１１の斜視図（イ）、正面図（ロ）、平面図（ハ）、底面図（ニ）を示す。なお、原型集球具１１は図１に限定されるものではなく、実施例の一つとして示すものである。【００１９】  この原型集球具１１は、剛性のあるフレーム２に、集球したボールを保持する為の保持部３（柔軟性を有するネットを使用）と取扱操作用の柄８とを装着し構成。そのフレーム２で囲まれた開口部はボールを集める為の集球部５と集めたボールを排出する為の排球部６（共にボール１２がスムーズに通れる大きさに形成）から成り、集球用開口部には線状物７をボール１２の直径より狭い間隔で張り集球部５を形成し、排球部６は開口状態のままとしておき、その両者の境目には剛性ある細長板状の区切板（細長形状のアルミ板を使用）を設け境界部４とした例である。【００２０】  上記図１の原型集球具１１を使い、これにマグネット１４とスチール１５とを一対物として図２〜図４に示す様に装着する。即ち、境界部４の上面部に細長平板状のスチール１５を１枚接着装着し、その上面部分の保持部３に円形板状のマグネット１４を２個接着装着する。そのマグネット１４は保持部３の内側面（図で保持部３の下側面）に装着し、スチール１５に吸着する様にその位置（部位）を調整対応させ装着する。なお、マグネット１４の装着は保持部３の外側面（図で保持部３の上面側）であってもよいし、保持部３で挟む様にしてもよい。【００２１】  この様にマグネット１４とスチール１５とを装着してその両者を吸着させた時は、保持部３は境界部４の方へ押しつけられ、保持部３と境界部４との間の距離（スペース）は小さく（狭く）なる。この時、この距離（スペース）がボール１２の直径より小さく（狭く）なる様に、また、両者を引き離した時は、その距離（スペース）がボール１２の直径より大きく（広く）なる様に保持部３のサイズなどを調整しておく。【００２２】  また、マグネット１４とスチール１５の装着は、本実施例とは逆に、即ちマグネット１４を境界部４の方へ、スチール１５を保持部３の方へ装着しても支障ない。その時はその形状を逆に、即ちマグネット１４は細長平板状に、スチール１５は円形板状とした方が装着し易い。その際も、互いの位置（部位）は調整し対応させておく。【００２３】  その装着させるマグネット１４やスチール１５の形状としては、本実施例では円状や平板状のものを使用したが、多角形状や穴開き状のものなどやこれらの組合せ形状などであっても支障ない。また、装着数も限定されるものではなく、１つでも２つ以上の複数であっても支���ない。なお、マグネット１４やスチール１５は、互いに吸引特性を示すものであれば複合材を使用しても支障ない。【００２４】  境界部４としては、本実施例では板状のものを使用したが、柱状や棒状など、或いはこれらの組合せ形状のものなども使用出来る。マグネット１４やスチール１５も剛性がありこうした形状物を形成できるので、それらを使用して境界部４を形成しても支障ない。【００２５】  以下、本実施例の集球具１の使用方法について説明する。【００２６】  集球の時は、柄８を持ち、図５に示す様に、集球部５を床面上のボール１２の上から被せて押さえる様にすると、ボール１２は線状物７の間をすり抜けて、床面から保持部３の方へ移動し集球される。その時、マグネット１４とスチール１５とは引き離さずに吸着したままの状態で行う。その状態では、保持部３と境界部４との間の距離（スペース）はボール１２の直径より小さい（狭い）ので、保持部３中のボール１２が排球部６の方へこぼれ出る等の恐れはなく確実に集球保持される。【００２７】  排球の時は、例えば、ボール１２を容器１３へ移したい時は、図６に示す様に、集球具１の先端部（図６で左端部）を少し上方へ上げる様にしてマグネット１４を上方側（図６で矢印Ｇの方向）へ引くと、境界部４と保持部３との間にボール１２が通れるスペースが出来て、ボール１２はそこを通り排球部６の方へ移動し容器１３へ落下する。このボール１２が通れるスペースが出来る為には、保持部３にはそれだけのスペース形成可能な柔軟性や大きさを持ったものを使用しておく。【００２８】  以上の様に、吸着特性を有するマグネット１４とスチール１５の一対物を保持部３と境界部４に装着した結果、集球中に排球部６の方へボール１２がこぼれ落ちる事もなくスムーズに集球保持出来る様になった。持運び時にこぼれ落ちる事もなかった。また、ボール１２を排出したい時はマグネット１４を上方向へ引っ張りスチール１５から引き離すだけの簡単操作で排出され、大変使い易い集球具である。
【符号の説明】
【００２９】      １、集球具
２、フレーム
３、保持部
４、境界部
５、集球部
６、排球部
７、線状物
８、柄
１１、原型集球具
１２、ボール
１３、容器
１４、マグネット
１５、スチール
【図１】
0005543648.tif 000002
【図２】
0005543648.tif 000003
【図３】
0005543648.tif 000004
【図４】
0005543648.tif 000005
【図５】
0005543648.tif 000006
【図６】
0005543648.tif 000007
【図７】
0005543648.tif 000008